(57)【要約】【課題】  有資格者でないと扱えない薬剤等と、そうでないものとの区分を明確化できるとともに、有資格者の在、不在をも明確化でき、さらには、有資格者の不在の場合は、有資格者でないと扱えない薬剤等の取り出しを不能とすることができるようにした調剤室用什器を提供する。【解決手段】  薬剤を収容した複数のトレー７を、前方に引き出し可能として、上下多段状に収容した什器本体１の前面に、特定使用者が使用するための、前面が開口する限定物収容箱体２を、取扱者の手が届きにくい上昇位置と、前面開口から限定物を出し入れ可能な下降位置とに昇降可能として設ける。【選択図】        図１
2008212302.tif 000002
【特許請求の範囲】
【請求項１】
薬剤を収容した複数のトレーを、前方に引き出し可能として、上下多段状に収容した什器本体の前面に、特定使用者が使用するための、前面が開口する限定物収容箱体を、取扱者の手が届きにくい上昇位置と、前面開口から限定物を出し入れ可能な下降位置とに昇降可能として設けたことを特徴とする調剤室用什器。
【請求項２】
限定物収容箱体を、上昇位置と下降位置とにおいて係止しうる係止手段を設けた請求項１記載の調剤室用什器。
【請求項３】
係止手段が、限定物収容箱体に枢着され、かつ限定物収容箱体の下方に突出する把手により回動操作されるようにした回動部材と、この回動部材とそれに対向する什器本体との対向面のいずれか一方に設けられた係合突起と、前記対向面のいずれか他方に設けられ、かつ前記限定物収容箱体が、上昇位置と下降位置とに位置しているとき、前記係合突起が係合しうるようにした係合孔と、前記回動部材を、前記係合突起と係合孔とが互いに係合する方向に付勢する付勢手段とを備えている請求項２記載の調剤室用什器。
【請求項４】
限定物収容箱体の下面における回動部材の把手の前方に、前記把手とともに握持することにより、回動部材を回動させて、係止手段を解除させ、かつ握持状態で、限定物収容箱体を昇降させる固定のハンドルを設けた請求項３記載の調剤室用什器。
【請求項５】
限定物収容箱体の前面開口部に、開閉自在の扉を設けるとともに、この扉を閉止状態で施錠する施錠装置を設けた請求項１〜４のいずれかに記載の調剤室用什器。
【請求項６】
什器本体と限定物収容箱体とのいずれか一方に、限定物収容箱体が上昇位置に位置しているときに、いずれか他方に係合して、前記限定物収容箱体を上昇位置に拘束しうるようにした施錠装置を設けた請求項１〜５のいずれかに記載の調剤室用什器。
【請求項７】
限定物収容箱体が上昇位置に位置しているときに、限定物収容箱体の後方に位置する什器本体の上部を、ストック収容空間とした請求項１〜６のいずれかに記載の調剤室用什器。
【請求項８】
什器本体の前面における限定物収容箱体が下降位置に位置しているときの下面より下方の位置に、前方に向かって突出する作業天板を設けた請求項１〜７のいずれかに記載の調剤室用什器。
【請求項９】
限定物収容箱体の下面に、照明灯を設けた請求項１〜８のいずれかに記載の調剤室用什器。
【請求項１０】
什器本体に、限定物収容箱体が上昇位置に位置したことを検出するセンサと、このセンサの作動により、照明灯を点灯させるスイッチとを設けた請求項１〜９のいずれかに記載の調剤室用什器。
【請求項１１】
什器本体に、限定物収容箱体が下降位置に位置したことを検出するセンサと、このセンサの作動により、照明灯を消灯させるスイッチとを設けた請求項１〜１０のいずれかに記載の調剤室用什器。
【発明の詳細な説明】
【技術分野】
【０００１】
本発明は、病院や薬局の調剤室において、他種類の薬剤を区分けして収容する調剤室用什器に関する。
【背景技術】
【０００２】
この種の調剤室用什器としては、棚状とした什器本体に、同一または同種の薬剤を収容した多数のトレーを、前方に引き出し可能として、各棚毎に左右に並べて、また上下多段状に設けたものが一般的である(例えば特許文献１および２参照)。
【特許文献１】特開２００１−２９９４７０号公報
【特許文献２】特開２００１−０７０４００号公報
【発明の開示】
【発明が解決しようとする課題】
【０００３】
しかし、薬事法の改正により、薬剤師の資格を有しているものでないと取り扱えない薬剤と、その資格を有していないものでも取り扱える薬剤とが区分された関係で、上述のような従来の調剤室用什器を用いる場合は、無資格者が、誤って、有資格者でないと扱えない薬剤を扱うことのないよう、取り扱いをより慎重に行う必要があり、取扱者の精神的負担が増大する。
【０００４】
本発明は、従来の技術が有する上記のような問題点に鑑み、有資格者でないと扱えない薬剤等と、そうでないものとの区分を明確化できるとともに、有資格者の在、不在をも明確化でき、さらには、有資格者の不在の場合は、有資格者でないと扱えない薬剤等の取り出しを不能とすることができるようにした調剤室用什器を提供することを目的としている。
【課題を解決するための手段】
【０００５】
本発明によると、上記課題は次のようにして解決される。
(１)  薬剤を収容した複数のトレーを、前方に引き出し可能として、上下多段状に収容した什器本体の前面に、特定使用者が使用するための、前面が開口する限定物収容箱体を、取扱者の手が届きにくい上昇位置と、前面開口から限定物を出し入れ可能な下降位置とに昇降可能として設ける。
【０００６】
(２)  上記(１)項において、限定物収容箱体を、上昇位置と下降位置とにおいて係止しうる係止手段を設ける。
【０００７】
(３)  上記(２)項において、係止手段が、限定物収容箱体に枢着され、かつ限定物収容箱体の下方に突出する把手により回動操作されるようにした回動部材と、この回動部材とそれに対向する什器本体との対向面のいずれか一方に設けられた係合突起と、前記対向面のいずれか他方に設けられ、かつ前記限定物収容箱体が、上昇位置と下降位置とに位置しているとき、前記係合突起が係合しうるようにした係合孔と、前記回動部材を、前記係合突起と係合孔とが互いに係合する方向に付勢する付勢手段とを備えるものとする。
【０００８】
(４)  上記(３)項において、限定物収容箱体の下面における回動部材の把手の前方に、前記把手とともに握持することにより、回動部材を回動させて、係止手段を解除させ、かつ握持状態で、限定物収容箱体を昇降させる固定のハンドルを設ける。
【０００９】
(５)  上記(１)〜(４)項のいずれかにおいて、限定物収容箱体の前面開口部に、開閉自在の扉を設けるとともに、この扉を閉止状態で施錠する施錠装置を設ける。
【００１０】
(６)  上記(１)〜(５)項のいずれかにおいて、什器本体と限定物収容箱体とのいずれか一方に、限定物収容箱体が上昇位置に位置しているときに、いずれか他方に係合して、前記限定物収容箱体を上昇位置に拘束しうるようにした施錠装置を設ける。
【００１１】
(７)  上記(１)〜(６)項のいずれかにおいて、限定物収容箱体が上昇位置に位置しているときに、限定物収容箱体の後方に位置する什器本体の上部を、ストック収容空間とする。
【００１２】
(８)  上記(１)〜(７)項のいずれかにおいて、什器本体の前面における限定物収容箱体が下降位置に位置しているときの下面より下方の位置に、前方に向かって突出する作業天板を設ける。
【００１３】
(９)  上記(１)〜(８)項のいずれかにおいて、限定物収容箱体の下面に、照明灯を設ける。
【００１４】
(１０)  上記(１)〜(９)項のいずれかにおいて、什器本体に、限定物収容箱体が上昇位置に位置したことを検出するセンサと、このセンサの作動により、照明灯を点灯させるスイッチとを設ける。
【００１５】
(１１)  上記(１)〜(１０)項のいずれかにおいて、什器本体に、限定物収容箱体が下降位置に位置したことを検出するセンサと、このセンサの作動により、照明灯を消灯させるスイッチとを設ける。
【発明の効果】
【００１６】
本発明によると、次のような効果を奏することができる。
請求項１記載の発明によると、限定物収容箱体に、薬剤師等の有資格者でないと扱えない薬剤等を収容し、什器本体側の各トレーには、有資格者でなくても扱える薬剤等を収容しておくことにより、有資格者でないと扱えない薬剤等と、そうでないものとの区分を明確化することができ、有資格者でない者が、誤って、有資格者でないと扱えない薬剤等を扱うというおそれを未然に防止することができる。
また、有資格者が不在の場合は、限定物収容箱体を上昇位置に位置させておくことにより、有資格者が不在であることを簡単に知ることができるとともに、このときに、限定物収容箱体内の薬剤等には、手が届きにくくなるので、有資格者でない者が、誤って、有資格者でないと扱えない薬剤等を扱うというおそれを、より確実に防止することができる。
【００１７】
請求項２記載の発明によると、限定物収容箱体を、上昇位置と下降位置とにおいて、係止手段により、確実に係止でき、両位置で安定して保持しうるとともに、それ以外の望ましくない位置で停止したり、前記両位置から妄りに移動するのを防止することができる。
【００１８】
請求項３記載の発明によると、限定物収容箱体の下方に突出する把手を回動操作することにより、係止手段を解除して、限定物収容箱体を、自由に昇降させることができ、操作性がよい。
【００１９】
請求項４記載の発明によると、限定物収容箱体の下面に設けたハンドルと、その前方の回動部材の把手とを、ともに握持することにより、回動部材を解除方向に回動させて、係止手段を解除させ、その握持したままの状態で、限定物収容箱体を昇降させることができ、操作性がよい。
【００２０】
請求項５記載の発明によると、限定物収容箱体の前面開口部に、開閉自在の扉を設けるとともに、この扉を閉止状態で施錠する施錠装置を設けてあるので、有資格者が退席する際に、限定物収容箱体の扉を閉じて、施錠しておくことにより、有資格者でない者が、有資格者でないと扱えない薬剤等を取り出せないようにすることができ、薬剤の管理を厳格にすることができるとともに、地震時等に、限定物収容箱体内に収容された薬剤等が、前方に落下するのを防止することができる。
【００２１】
請求項６記載の発明によると、什器本体と限定物収容箱体とのいずれか一方に、限定物収容箱体が上昇位置に位置しているときに、いずれか他方に係合して、前記限定物収容箱体を上昇位置に拘束しうるようにした施錠装置を設けてあるので、有資格者でない者が、限定物収容箱体を上昇位置から下降させることさえできなくなり、薬剤の管理をより厳格にすることができる。
【００２２】
請求項７記載の発明によると、限定物収容箱体が上昇位置に位置しているときに、限定物収容箱体の後方に位置する什器本体の上部を、ストック収容空間としてあるので、限定物収容箱体を上昇位置としたときの什器本体の上部のデッドスペースを、有効に活用することができる。
【００２３】
請求項８記載の発明によると、作業天板上において、什器本体内のトレーまたは限定物収容箱体内から取り出したばかりの薬剤等を調合や、袋詰等の調剤行為を行うことができ、作業性を向上することができる。
【００２４】
請求項９記載の発明によると、限定物収容箱体の下面に、照明灯を設けてあるので、室内の照明が、限定物収容箱体により遮られても、上記照明灯により、什器本体のトレー収容部分や、作業空間の照度を確保することができ、作業性をよくすることができる。
【００２５】
請求項１０記載の発明によると、限定物収容箱体が上昇位置に位置すると、照明灯が自動的に点灯するので、その都度、手動操作で点灯する必要がなく、作業性が向上する。
【００２６】
請求項１１記載の発明によると、限定物収容箱体が下降位置に位置すると、照明灯が自動的に消灯するので、その都度、手動操作で消灯する必要がなく、作業性が向上するとともに、省エネルギー化に寄与することができる。
【発明を実施するための最良の形態】
【００２７】
以下、本発明の一実施形態を、図面に基づいて説明する。
図１は、本発明の調剤室用什器の一実施形態における箱体を上昇位置としたときの外観斜視図、図２は、同じく、側面図、図３は、箱体を下降位置としたときの側面図である。
この調剤室用什器は、什器本体１と、その前面上部に昇降可能として装着した、限定物収容箱体(以下、単に箱体という)２とを有している。
【００２８】
什器本体１は、前面に複数の引出し３を上下多段状に設け、かつ上面を作業天板４とした下置台５と、その上面後部に載置して固定され、かつ上下多段状に設けた複数の棚板６上に、薬剤を収容した複数のトレー７を、前方に引き出し可能として、左右方向に並べて設けた上置棚８と、さらにその上に載置して固定した天袋９とを備えている。
下置台５と上置棚８と天袋９とは、左右方向の幅を同一とし、また上置棚８と天袋９とは、その前面を揃えてある。
【００２９】
図４に示すように、天袋９を形成する前面が開口する筐体１０内のやや下部には、ベース棚板１１が架設され、その下方の空間には、箱体２を上向きに付勢する付勢手段である公知の定荷重ばね１２が配設されている。
この定荷重ばね１２は、筐体１０の底板１０ａ上に固着したブラケット１３にドラム１４を枢支し、このドラム１４に、巻きつき習性を有する帯状の板ばね片１５を巻き取るようにしたもので、板ばね片１５の先端部を、後述する支持枠体１８の下端部後面に止着することにより、支持枠体１８を介して、箱体２を上向きに付勢するようになっている。
【００３０】
筐体１０における左右の側板１０ｂ、１０ｂの前面には、上下方向を向く左右１対のガイドレール１６、１６が固着され、各ガイドレール１６には、可動レール１７が、上下方向に摺動自在に装着されている。
【００３１】
左右の可動レール１７、１７の前面には、正面視方形枠状をなす支持枠体１８における左右の側杆１９、１９の後面が固着されている。
支持枠体１８は、左右の側杆１９、１９の上下の端部同士を、左右方向を向く上杆２０および下杆２１をもって連結したものよりなっている。下杆２１の中央部後面には、方形の切欠き２１ａが設けられている。
【００３２】
支持枠体１８の前面には、箱体２が固着されている。
筐体１０の左右幅と、左右のガイドレール１６、１６の外側面間の距離と、支持枠体１８の左右幅と、箱体２の左右幅とは、すべてほぼ同一としてあり、それによって、物品収容部である箱体２の左右幅を狭めることなく、物品収容スペースを広く確保することができるとともに、物品収容部を単純な箱体２のみにより形成でき、構造を簡素化して、安価に製造できるようにしてある。
また、ガイドレール１６、１６、可動レール１７、１７、支持枠体１８等が、箱体２により隠されるので、体裁がよい。
【００３３】
筐体１０における両側板１０ｂ、１０ｂの上下方向の長さ、ガイドレール１６、１６および可動レール１７、１７の長さ、並びに、支持枠体１８の側杆１９、１９および箱体２の上下方向の長さも、すべてほぼ同一とするのが望ましい。
【００３４】
支持枠体１８内には、箱体２を、図２に示すように、取扱者の手が届きにくい上昇位置と、図３に示すように、前面開口から箱体２内の収容物を出し入れ可能な下降位置とにおいて係止しうる係止手段２２の大部分が設けられている。
【００３５】
この係止手段２２は、支持枠体１８に枢着され、かつ支持枠体１８の下方に突出する把手２３ａにより回動操作されるようにした回動部材２３と、この回動部材の上下２箇所に設けられた後方を向く係合突起２４、２５と、筐体１０内のベース棚板１１の前方に横架された横桟２６に設けられ、かつ箱体２が、上昇位置に位置しているときは、下方の係合突起２５が、また箱体２が、下降位置に位置しているときは、上方の係合突起２４が、それぞれ係合しうるようにした係合孔２７と、回動部材２３を、係合突起２４、２５が係合孔２７に係合する方向、すなわち後方に向かって付勢する付勢手段である板ばね２８とを備えている。
【００３６】
回動部材２３は、この例では、金属製棒材を折曲したり、溶接したりして形成してあり、上下方向を向く上下１対の枢軸部２３ｂ、２３ｃと、上方の枢軸部２３ｂの下端、および下方の枢軸部２３ｃの上端から、同一側方に向けて折曲形成された水平杆部２３ｄ、２３ｅと、両水平杆部２３ｄ、２３ｅの遊端同士を連結する、垂直杆部２３ｆと、下方の水平杆部２３ｅに上端が溶接され、かつ下端部が前方に向けて折曲されて、上記把手２３ａを形成する正面視Ｕ字状の垂下部２３ｇとからなっており、垂直杆部２３ｆの上下部に、上記係合突起２４、２５が、後方を向くようにして溶接されている。
【００３７】
上方の枢軸部２３ｂは、支持枠体１８の上杆２０における中央より若干左寄りの下面に設けられた軸孔(図示略)に枢嵌され、また下方の枢軸部２３ｃは、箱体２の下面後部に固着されたブラケット２９における左端部より後方かつ左方に延出する腕片２９ａの先端部に設けた軸孔３０に枢嵌されている。
下方の水平杆部２３ｅと、下方の枢軸部２３ｃの上部と、垂下部２３ｇの上部とは、支持枠体１８における下杆２１の切欠き２１ａ内に嵌合され、この切欠き２１ａ内において、回動部材２３は、枢軸部２３ｂ、２３ｃを中心とするわずかの回動が許容されている。
【００３８】
ブラケット２９の左右両側端から垂下する１対の側片２９ｂ、２９ｂの下端部により、左右方向を向く丸棒状のハンドル３１の両端が支持されている。
【００３９】
図４〜図７に示すように、板ばね２８は、水平の取付片２８ａが、支持枠体１８における上杆２０の下面中央部に固着され、取付片２８ａより垂下する弾性押圧片２８ｂにより、回動部材２３における上方の水平杆部２３ｄを後方に向けて押圧し、かつ弾性押圧片２８ｂの下端より後方に向けて折曲形成した受け片２８ｃにより、回動部材２３の水平杆部２３ｄの中間部を受支するようになっている。
【００４０】
筐体１０内の横桟２６における係合孔２７の上方には、後上向き傾斜する傾斜面２６ａが、また同じく下方には、後下向き傾斜する傾斜面２６ｂが設けられ、箱体２が上昇位置に到達する直前には、下方の係合突起２５の先端が、下方の傾斜面２６ｂに摺接して、係合孔２７に導かれ、また箱体２が下降位置に到達する直前には、上方の係合突起２４の先端が、上方の傾斜面２６ａに摺接して、係合孔２７に導かれるようになっている。
【００４１】
支持枠体１８における上杆２０の中央部には、後方に向かって突出し、筐体１０内に進入するストッパ３２が設けられており、箱体２と支持枠体１８とが上昇位置に達すると、ストッパ３２が、筐体１０における天板１０ｃの下面に当接し、また箱体２と支持枠体１８とが下降位置に達すると、ストッパ３２が、筐体１０内における横桟２６の上面に当接して、箱体２と支持枠体１８との昇降範囲が、上昇位置と下降位置との範囲に制限されるようになっている。
【００４２】
箱体２の下面前部には、蛍光灯等とした照明灯３３が設けられ、その可撓性の給電コード(図示略)は、支持枠体１８の左右いずれかの側杆１９を挿通させて、筐体１０内に引き込まれている。
したがって、室内の照明が、箱体２により遮られても、上記照明灯３３により、箱体２の下方を照らすことができるとともに、照明灯３３の給電コードを、外部に露呈することなく、体裁よく収容することができる。
【００４３】
なお、筐体１０に、箱体２が上昇位置に位置したことを検出するセンサ(図示略)と、このセンサの作動により、照明灯３３を点灯させるスイッチ(図示略)とを設け、箱体２が上昇位置に到達すると、照明灯３３が自動的に点灯するようにしたり、筐体１０に、箱体２が下降位置に位置したことを検出するセンサ(図示略)と、このセンサの作動により、照明灯３３を消灯させるスイッチ(図示略)とを設け、箱体２が下降位置に到達すると、照明灯３３が自動的に消灯するようにすると、その都度、手動操作で点灯した、消灯したりする必要がなく、作業性が向上する。
【００４４】
図５に示すように、箱体２における左右の側板３４、３４の内側面には、倒立Ｕ字状の案内溝３５が設けられ、両案内溝３５には、シャッター扉３６の両側部が、摺動自在に嵌合され、シャッター扉３６は、案内溝３５に沿って、図１に示す閉止状態から、下端が上限まで上昇した開放状態まで開くことができるようになっている。
【００４５】
また、箱体２の底板３７の前部中央には、前方よりキー(図示略)を挿入して、所要角度回転させることにより、キープレート(図示略)が、閉止状態のシャッター扉３６の下端部に係合して、施錠するようにした、キーシリンダ錠からなる施錠装置３８が設けられている。
【００４６】
さらに、図示は省略してあるが、箱体２内における案内溝３５により囲まれた空間内には、必要に応じて、上置棚８における棚板６およびトレー７と同様のものが設けられる。
【００４７】
上記の構成のうち、箱体２、ガイドレール１６、可動レール１７、支持枠体１８、係止手段２２等により、昇降式キャビネットＡが形成されている。
【００４８】
この調剤室用什器の使用に際しては、箱体２内に、薬剤師等の資格を有していないと取り扱えない薬剤等の限定物を収容し、上置棚８における各トレー７、および下置台５の引出し３には、上記限定物以外の、有資格者でなくても扱える薬剤等を収容しておく。
【００４９】
そうすることによって、有資格者でないと扱えない薬剤等と、そうでないものとの区分を明確化することができ、有資格者でない者が、誤って、有資格者でないと扱えない薬剤等を扱うというおそれを未然に防止することができる。
【００５０】
また、有資格者が不在の場合は、箱体２を、取扱者の手が届きにくい上昇位置に位置させておくことにより、有資格者が不在であることを簡単に知ることができるとともに、このときに、箱体２内の薬剤等には手が届きにくくなるので、有資格者でない者が、誤って、有資格者でないと扱えない薬剤等を扱うというおそれを、より確実に防止することができる。
【００５１】
さらに、有資格者が不在の場合は、シャッター扉３６を閉じて、施錠装置３８により施錠しておくと、確実に、有資格者でない者が、有資格者でないと扱えない薬剤等を取り出せないようにすることができ、薬剤の管理を厳格にすることができるとともに、地震時等に、箱体２内に収容された薬剤等が、前方に落下するのを防止することができる。
【００５２】
有資格者がいる場合は、箱体２を下降位置に位置させておくことにより、箱体２の開口から、限定物を容易に出し入れすることができる。
【００５３】
箱体２を上昇位置から下降位置、または下降位置から上昇位置へ昇降させる際には、箱体２の下面に設けたハンドル３１と、その前方の回動部材２３の把手２３ａとをともに握持する。すると、回動部材２３が解除方向に回動し、係合突起２４、２５が、係合孔２７から前方に離脱し、係止手段２２が解除され、その握持したままの状態で、箱体２を、自由に昇降させることができる。したがって、操作性がよい。
【００５４】
天袋９は、ストック収容空間として使用し、この中には、頻繁には出し入れすることのない物品や在庫品等を収容しておく。そうすることによって、箱体２を上昇位置としたときの什器本体１の上部のデッドスペースを、有効に活用することができる。
この天袋９内の収容物を出し入れするには、箱体２を下降位置に位置させ、脚立等を用いて、行うのがよい。
【００５５】
薬剤等の調合や、袋詰等の調剤行為は、作業天板上において行うのがよい。
有資格者が調剤行為を行うには、箱体２を下降位置としておき、その箱体２内や上置棚８のトレー７から取り出したばかりの薬剤等を、作業天板上において、即座に調合することができる。
また、有資格者でないものが調剤行為を行うには、箱体２を上昇位置としておくことにより、箱体２に妨げられることなく、上置棚８のトレー７から取り出したばかりの薬剤等を、作業天板上において、即座に調合することができる。
【００５６】
なお、図８に示すように、支持枠体１８の側杆１９(または箱体２)に、箱体２が上昇位置に位置しているときに、箱体２を、その上昇位置に拘束して施錠する施錠装置３９を設けてもよい。
この施錠装置３９は、側方よりキー(図示略)を挿入して、所要角度回転させることにより、キープレート４０が、ガイドレール１６および可動レール１７の要所に設けた貫通孔(図示略)を通して、筐体１０における側板１０ｂの前面に設けた係合孔(図示略)に係合するようにしたキーシリンダ装置とすることができる。
【００５７】
この施錠装置３９は、什器本体１側に設け、施錠操作することにより、上昇位置に位置している箱体２に係合して、箱体２をその上昇位置に拘束するようにしてもよい。
【００５８】
本発明は、上記の実施形態のみに制限されるものではなく、特許請求の範囲を逸脱しない範囲で、変形した態様での実施が可能である。
例えば、回動部材２３を板材により形成し、この板材に、箱体２が上昇位置と下降位置とに位置しているときに、横桟２６の前面に突設した突起(図示略)が係合するようにした係合孔(図示略)を設けてもよい。
また、シャッター扉３６および施錠装置３８を省略して実施してもよい。
【図面の簡単な説明】
【００５９】
【図１】本発明の一実施形態における箱体を上昇位置としたときの外観斜視図である。
【図２】同じく、側面図である。
【図３】同じく、箱体を下降位置としたときの側面図である。
【図４】同じく、要部の分解斜視図である。
【図５】同じく、箱体を上昇位置としたときの上部の中央縦断側面図である。
【図６】図５のVI−VI線に沿う拡大横断底面図である。
【図７】図６のVII−VII線に沿う縦断側面図である。
【図８】本発明の変形例の要部の拡大側面図である。
【符号の説明】
【００６０】
Ａ  昇降式キャビネット
１  什器本体
２  限定物収容箱体
３  引出し
４  作業天板
５  下置台
６  棚板
７  トレー
８  上置棚
９  天袋
１０  筐体
１０ａ底板
１０ｂ側板
１０ｃ天板
１１  ベース棚板
１２  定荷重ばね
１３  ブラケット
１４  ドラム
１５  板ばね片
１６  ガイドレール
１７  可動レール
１８  支持枠体
１９  側杆
２０  上杆
２１  下杆
２１ａ切欠き
２２  係止手段
２３  回動部材
２３ａ把手
２３ｂ、２３ｃ枢軸部
２３ｄ、２３ｅ水平杆部
２３ｆ垂直杆部
２３ｇ垂下部
２４、２５係合突起
２６  横桟
２６ａ、２６ｂ傾斜面
２７  係合孔
２８  板ばね(付勢手段)
２８ａ取付片
２８ｂ弾性押圧片
２８ｃ受け片
２９ブラケット
２９ａ腕片
２９ｂ側片
３０  軸孔
３１  ハンドル
３２  ストッパ
３３  照明灯
３４  側板
３５  案内溝
３６  シャッター扉
３７  底板
３８  施錠装置
３９  施錠装置
４０  キープレート
【図１】
2008212302.tif 000003
【図２】
2008212302.tif 000004
【図３】
2008212302.tif 000005
【図４】
2008212302.tif 000006
【図５】
2008212302.tif 000007
【図６】
2008212302.tif 000008
【図７】
2008212302.tif 000009
【図８】
2008212302.tif 000010